(57)【要約】      （修正有）【課題】リモートコントロールタイプの温熱電位効果をもつマットレスを提供する。【解決手段】マットレス２内に電位機能をもつ電熱線２１を埋設するだけでなく、人体がマットレス上に横たわり頭部から離れた適切な位置に、無線リモートコントロール受信制御ボックス３を設け、かつ無線リモートコントロール受信制御ボックスのそばに電源スイッチ３１を設け、またパネル上に電源指示灯３２、電熱機能指示灯３３、電位機能指示灯３４、タイマー機能指示灯３５及びリモートコントロール信号受信器３６等を設け、また無線リモートコントローラ４を設け、無線リモートコントローラにはスタートボタン４０、電熱調整ボタン４２、電位調整ボタン４３及びタイマー調整ボタン４４等を設け、また無線リモートコントローラには各種機能、調整結果の表示ディスプレイ４１を設ける。【選択図】    図３
0003101696.tif 000002
【実用新案登録請求の範囲】
【請求項１】
電熱線及び導電布を有するリモートコントロールタイプの温熱電位効果をもつマットレスであって、
無線リモートコントローラから前記電熱線の温度の調整指示と前記導電布の電位の調整指示とタイマーの設定指示とを受信し、該受信した指示に基づいて前記電熱線の温度及び前記導電布の電位を調整する制御ボックスを、人体頭部から離れたマットレス上に配設したことを特徴とするリモートコントロールタイプの温熱電位効果をもつマットレス。
【考案の詳細な説明】
【技術分野】
【０００１】
本考案は、温熱電位効果をもつマットレスのコントローラであり、無線リモートコントロールの方式で調整制御を行い、コントローラをマットレスの適切な位置に設け、使用者が操作、調整、見る際に、更にはっきりとして便利で、かつ電磁波の影響を受けないものである。
【背景技術】
【０００２】
一般の温熱、電位機能をもつマットレス構造内容は、おおよそ図１の示すとおりであり、マットレス１の内部に電熱線１１及び導電布１２を埋設し、マットレス１に制御ボックス１３を固定し、電熱線１１及び導電布１２を制御ボックス１３内につなぎ、制御ボックス１３内の制御裝置によって電熱線１１の加熱する温度または導電布１２が生み出す電位の強弱を制御することができ、制御ボックス１３に設けた調整ボタン及び指示灯によって、必要な結果を調整し獲得することができる。
【０００３】
しかし、使用者はマットレス１に横たわる前に、事前に必要な電熱温度及び電位の強弱を調整しなければならないが、マットレス１に横たわった後、快適でないまたは要求に合わないと感じた場合、起き上がって振り返らなければ、制御ボックス１３の調整制御を行うことはできないため、極めて不便なだけでなく、調整後にマットレス１に横たわってから、しばらく経った後で自分に合っているかどうか感じ、その後このように何度も起き上がって振り返り、横になることを繰り返してから、ようやく自分に合った快適な結果を得ることができる。特に異なる季節、気候の変わり目の時には、電熱温度及び電位の強弱の調整は必要かつ日常的な動作であるため、上述の操作の制御手法は、使用者に不便で面倒であると感じさせるものである。また、使用者の操作に便利なように、通常制御ボックス１３は使用者が横たわる頭部の脇に設けてあり、これでは使用者の脳部が制御ボックス１３を起動した時に生み出される強力な電磁波の影響を受け、身体の健康に危害を及ぼしてしまう。
【０００４】
また、図２が示すマットレス１の制御ボックス１３は、線上コントローラ１４によって制御ボックス１３に対し操作と調整を行うものであり、使用者はマットレス１に横たわったまま起き上がらずに、コントローラを手にして調整制御を行うことができるが、制御ボックス１３は使用者の頭部の脇にあり、その生み出す電磁波は使用者に危害を及ぼすものである。前述した２例の制御ボックス１３をマットレス下端の使用者の足元に設けた場合、使用者の頭部が受ける電磁波の影響を大幅に改善することができるが、逆に使用者の操作は不便になり、またはコントローラ１４の電線が長くなりすぎ、逆に手や足の邪魔になるという重大な欠陥をもたらしてしまう。
【考案を実施するための最良の形態】
【０００５】
よって、上述の線制御タイプのコントローラの操作、調整、及び見る際の不便さ及び分かりにくさ等の欠点を改善するため、本新案では内部に電位効果をもつ電熱線を設け、マットレスの適切な位置に無線リモートコントロール受信制御ボックスを設け、無線リモートコントロール受信制御ボックスに無線リモートコントロール信号受信器及び各種機能の指示灯を設け、また温度の高低、電位の強弱、タイマー設定等の調整機能をもつ無線リモートコントローラを設け、無線リモートコントローラ上に制御結果の表示ディスプレイを設け、使用者が体を後ろに向けたり、頭を後ろに向けたりせずに、簡単に調整制御を行うことができ、操作において便利で簡単なだけでなく、分かりやすいものとなっている。
【０００６】
この他、上述の無線リモートコントロール受信制御ボックスは頭部から離れた適切な位置のマットレス上に設けてあるため、使用者の頭部は完全に電磁波の影響と危害を受けない。
【０００７】
また、本考案は、下記の実施例によって、添付図と合わせ、充分な理解を得て、これに基づいて実施することができる。
【実施例】
【０００８】
図３が示すように、本考案を適用したマットレス２内に電位機能をもつ電熱線２１を埋設するだけでなく、人体がマットレス２上に横たわり頭部から離れた適切な位置に、無線リモートコントロール受信制御ボックス３を設け、かつ無線リモートコントロール受信制御ボックス３のそばに電源スイッチ３１を設け、またパネル上に電源指示灯３２、電熱機能指示灯３３、電位機能指示灯３４、タイマー機能指示灯３５及びリモートコントロール信号受信器３６等を設け、また無線リモートコントローラ４を設け、無線リモートコントローラ４にはスタートボタン４０、電熱調整ボタン４２、電位調整ボタン４３及タイマー調整ボタン４４等を設け、また無線リモートコントローラ４には各種機能、調整結果の表示ディスプレイ４１を設ける。
【０００９】
よって、無線リモートコントロール受信制御ボックス３を電源につなぎ、電源スイッチ３１を入れるだけで、電源指示灯３２が点き、使用者がマットレス２に横たわっていて無線リモートコントロール受信制御ボックス３から離れていても、無線リモートコントローラ４を手に持ってスタートボタン４０を押せば、電熱線２１の調整制御を開始することができ、電熱調整ボタン４２及び電位調整ボタン４３によって温度の高低及び電位の強度を、自分に適するまで調整することができるため、使用者は起き上がったり振り返ったりせずに操作することができ、かつタイマー調整ボタン４４によって、予定した時間の範囲内で、温熱、電位機能を設定することができる。同時に、無線リモートコントロール受信制御ボックス３は使用者の頭部から離れているため、使用者は完全に電磁波の影響及び危害を受けることはなく、かつ電線が絡まることもない。
【００１０】
次に、無線リモートコントロール信号受信器４に設けた表示ディスプレイ４１は、各種機能の調整が簡単で読みやすいだけでなく、無線リモートコントロール受信制御ボックス３の各種機能の結果も、無線リモートコントロール信号受信器４の表示ディスプレイ４１で表示できるため、使用者の制御または調整の操作が、見やすく分かりやすいだけでなく、便利で簡単である。
【００１１】
いずれにせよ、上述の実施例はすでに当新案を適切に具体的に開示、叙述しており、すべてこの技術に習熟した人がはっきりと理解できるものであり、その各種形状及び局部の変更は、すべて当新案の精神と範疇から逸脱していないものである。
【図面の簡単な説明】
【００１２】
【図１】周知のマットレスの制御構造方法１の見取図である。
【図２】周知のマットレスの制御構造方法２の見取図である。
【図３】本考案の制御構造見取図である。
【図４】本考案の制御構造実施例２の見取図である。
【符号の説明】
【００１３】
２ マットレス
２１  電熱線
３    無線リモートコントロール受信制御ボックス
３１  電源スイッチ
３２  電源指示灯
３３  電熱機能指示灯
３４  電位機能指示灯
３５  タイマー機能指示灯
３６  リモートコントロール信号受信器
４    無線リモートコントローラ
４０  スタートボタン
４１  表示ディスプレイ
４２  電熱調整ボタン
４３  電位調整ボタン
４４  タイマー調整ボタン
【図１】
0003101696.tif 000003
【図２】
0003101696.tif 000004
【図３】
0003101696.tif 000005
【図４】
0003101696.tif 000006